(57)【要約】  【課題】  管材同士を接合する際に、管材自体の向きを変えなくても適宜にソケットをレバー操作し易い向きに調節することができるレバー式管継手を提供すること。  【解決手段】  レバー２７を備えた偏心カム２６が軸着されたソケット１と、この偏心カム２６と係合する係合溝４３が形成されたプラグ４とから成る管継手１０であって、このソケット１を、偏心カム２６が軸着され、プラグ４を受け入れ可能な第一筒材２と、この第一筒材２に回転可能に取り付けられた第二筒材３とから構成し、ソケット１とプラグ４とを接合したとき、プラグ４でソケット１の第二筒材３を押圧させるようにした。  【選択図】  図１
2005207539.tif 000002
【特許請求の範囲】
【請求項１】
レバーを備えた偏心カムが軸着されたソケットと、該偏心カムと係合する係合溝が形成されたプラグとから成り、レバーを操作して偏心カムを係合溝に係合させて該ソケットと該プラグとを着脱自在に接合する管継手であって、
前記ソケットが、
前記偏心カムが軸着され、前記プラグの先端を受け入れ可能な第一筒材と、
該第一筒材に対し回転可能に取り付けられた第二筒材と、
から構成されており、
前記プラグの先端を前記ソケットの第一筒材に差し込んで前記レバーを倒して該プラグと該ソケットとを接合したとき、該プラグが該ソケットの第二筒材を押圧することを特徴とした管継手。
【請求項２】
前記ソケットの第一筒材に、該第一筒材側へ倒した前記レバーを保持可能なロック手段が設けられている請求項１記載の管継手。
【請求項３】
前記ロック手段が、
前記ソケットの第一筒材に軸着され、先端にレバーを引っ掛け可能なフックを備えたロック片と、
該ロック片の先端側をレバーの方向へ付勢する付勢部材と、
を含む請求項２記載の管継手。
【請求項４】
前記ソケットの第二筒材に、該ソケットに連結される管材の端部に設けられた雌ネジと螺合可能な雄ネジが形成されており、
前記プラグの先端側に、該管材の雌ネジと螺合可能な雄ネジが形成されている請求項１乃至請求項３のいずれかに記載の管継手。
【請求項５】
前記ソケットに連結される管材が消防ポンプ用の吸管である請求項４記載の管継手。
【請求項６】
前記プラグに、消防用ポンプの吸水口に設けられた雄ネジと螺合可能な雌ネジが形成されている請求項１乃至請求項５記載の管継手。
【発明の詳細な説明】
【技術分野】
【０００１】
本発明は、管材同士を着脱自在に接合する管継手に関し、特に消防ポンプ用の吸水口と吸管、吸管と吸管、又は吸管とストレーナを接合するのに好適な管継手に関する。
【背景技術】
【０００２】
従来、管材同士を接合する管継手の一つとして、レバーを備えた偏心カムが軸着されたソケットと、先端外周に該偏心カムと係合する係合溝が形成されたプラグとから成るレバー式の管継手が知られている（例えば、特許文献１参照）。このレバー式管継手は、プラグの先端をソケット内へ差し込み、ソケットのレバーを倒して偏心カムをプラグの係合溝に係合させることによって両者を接合するものであり、この管継手によれば、ソケットに連結した管材と、プラグに連結した他の管材とをレバーを起倒操作するだけで簡単に接合し分離することが可能となる。
【０００３】
しかしながら、従来のレバー式の管継手は、ソケット側に連結された管材が、その連結状態においてソケットに対し回転不能に固定されていたため、この管材の周方向の向きによっては、ソケットのレバーの起倒操作の方向が縦向きになることがあり、レバー操作に苦労する難点があった。
【０００４】
勿論、管材同士を接合する際に、ソケット側の管材自体の向きを変えれば、レバー操作し易いようにソケットの向きを調節することが可能である。しかしながら、例えば、石油タンクローリー車の搬送パイプのような大径の管材の場合、その重量や捩り抵抗等が大きいため、管材の取り扱い自体が困難であり、容易に管材の向きを変更できないのが実情である。
【特許文献１】特開２００１−７４１８６号公報
【発明の開示】
【発明が解決しようとする課題】
【０００５】
本発明は、従来のレバー式の管継手に上記のような難点があったことに鑑みて為されたもので、管材を接合する際、管材の向きを変えなくても、適宜にソケットの向きをレバー操作し易いように調節することができる管継手を提供することを技術的課題とする。
【０００６】
また、本発明の他の技術的課題は、特に接合作業の迅速性、確実性が要求される消防配管の継手として好適な管継手を提供することにある。
【課題を解決するための手段】
【０００７】
本発明は、レバーを備えた偏心カムが軸着されたソケットと、該偏心カムと係合する係合溝が形成されたプラグとから成り、レバーを操作して偏心カムを係合溝に係合させて該ソケットと該プラグとを着脱自在に接合する管継手であって、
前記ソケットが、前記偏心カムが軸着され、前記プラグの先端を受け入れ可能な第一筒材と、該第一筒材に対し回転可能に取り付けられた第二筒材と、から構成されており、
前記プラグの先端を前記ソケットの第一筒材に差し込んで前記レバーを倒して該プラグと該ソケットとを接合したとき、該プラグが該ソケットの第二筒材を押圧することを特徴とする。
【０００８】
また、本発明は、前記ソケットの第一筒材に、該第一筒材側へ倒した前記レバーを保持可能なロック手段が設けられていることを特徴とする。
【０００９】
更にまた、本発明は、前記ロック手段が、前記ソケットの第一筒材に軸着され、先端にレバーを引っ掛け可能なフックを備えたロック片と、該ロック片の先端側をレバーの方向へ付勢する付勢部材と、を含むことを特徴とする。
【００１０】
更にまた、本発明は、前記ソケットの第二筒材に、該ソケットに連結される管材の端部に設けられた雌ネジと螺合可能な雄ネジが形成されており、前記プラグの先端側に、該管材の雌ネジと螺合可能な雄ネジが形成されていることを特徴とする。
【００１１】
更にまた、本発明は、前記ソケットに連結される管材が消防ポンプ用の吸管であることを特徴とする。
【００１２】
更にまた、本発明は、前記プラグに、消防用ポンプの吸水口に設けられた雄ネジと螺合可能な雌ネジが形成されていることを特徴とする。
【発明の効果】
【００１３】
本発明に係る管継手によれば、ソケットが、第一筒材と、この第一筒材に回転可能に取り付けられた第二筒材とから構成されているので、予め管材に連結されたプラグと、他の管材が第二筒材に連結されたソケットとを接合する場合でも、管材自体の向きを変えなくても、ソケットの第一筒材の向きを変更することができ、レバーの起倒操作方向を作業し易い方向に調節することができる。
【００１４】
しかも、ソケットの偏心カムがプラグの係合溝と係合してソケットとプラグとを接合したとき、プラグがソケットの第二筒材を押圧するので、ソケットとプラグとが密着され、或いはソケットとゴムパッキンとプラグとが密着されて確実な接合が可能となると共に、ソケットの第一筒材に対する第二筒材の回転を阻止することが可能となる。したがって、接合時に調節したソケットの向きを、接合後において維持することができ、分離作業時に再びレバー操作方向の調節を行なう必要がなく、分離作業も迅速、確実に行うことが可能となる。
【００１５】
また、レバーのロック手段を設けた本発明に係る管継手によれば、ソケットとプラグとが接合された状態で、レバーに外力が加わっても簡単にレバーが起きる惧れもなく、不用意にソケットとプラグとが分離してしまうこともない。
【発明を実施するための最良の形態】
【００１６】
以下、本発明に係る管継手について、図１〜図８を参照しながら説明する。本実施形態の管継手１０は、消防配管に使用する管継手として具体化されている。本実施形態の管継手１０は、図１に示すように、ソケット１とプラグ４とから構成されている。
【００１７】
ソケット１は、円筒形状の第一筒材２と、この第一筒材２に回転可能に取り付けられた円筒形状の第二筒材３とから構成されている。
【００１８】
第一筒材２の先端部２１寄りの周壁部には、計二つの貫通孔２３が互いに対向して開設されており、各貫通孔２３の縁部には、一対のブラケット２４が周壁外面に配設されている。一対のブラケット２４間には、支軸２５周りに回動可能な偏心カム２６が軸着されており、この偏心カム２６にはレバー２７が設けられている。このレバー２７を、第一筒材２に対し起した状態（図１中の一点鎖線参照）と、第一筒材２に対し倒した状態（図１中の実線参照）との間で適宜に起倒操作することによって、偏心カム２５を回動させてカム面を第一筒材２に出し入れする。なお、図１に示したソケット１の断面図は、図２に示すＸ−Ｘ線に沿った断面図であり、本実施形態のソケット１の第一筒材２には、レバー２７を備えた偏心カム２６が対向状態に合計２つ配設されている。
【００１９】
第二筒材３は、その先端部３１側の外周に鍔部３３が設けられており、この鍔部３３は上記第一筒材２の基端部２２側において第一筒材２内に挿入されている。また、鍔部３３は、第一筒材２の基端部２２に複数のビス３４にて固定されたブッシュ３５によって係止されている。こうして、第二筒材３が第一筒材２に対して同心回転可能に取り付けられている。なお、符号３６で指示するものは、第二筒材３の先端部３１に配設されたゴムパッキンである。また、第二筒材３の後端部３２側には雄ネジ３７が形成されている。この雄ネジ３７は、規格化された消防ポンプ用の吸管の一端部に形成された雌ネジと螺合可能に構成されている。したがって、この雄ネジ３７には、吸管に接合されるストレーナの端部に形成された雌ネジとも螺合可能である。
【００２０】
一方、プラグ４は、円筒材から構成され、その周壁外面には上記ソケット１の偏心カム２６と係合可能な係合溝４３が周設されている。そして、プラグ４の先端部４１側には、ソケット１の第二筒材３の雄ネジ３７と同一形状の雄ネジ４４が形成されている。このことで、規格化された消防ポンプ用の吸管やストレーナを直接、プラグ４にも螺合連結することが可能となる。また、プラグ４の後端部４２側には、雌ネジ４５が形成されている。この雌ネジ４５は、規格化された消防ポンプの吸水口に形成された雄ネジと螺合可能に構成されている。したがって、この雌ネジ４５には、吸管の他端部に形成された雄ネジとも螺合可能である。また、符号４６で指示するものは、雌ネジ４５の奥部に配設されたゴムパッキンである。
【００２１】
しかして、本実施形態の管継手１０は、ソケット１の第一筒材２をプラグ４の先端部４１側に被嵌した後、ソケット１のレバー２７を第一筒材２側へ倒して偏心カム２６をプラグ４の係合溝４３に係合させることによって、ソケット１とプラグ４とが接合される（図３参照）。そして、レバー２７を起すことによってソケット１とプラグ４とを分離するのである。
【００２２】
このように、本実施形態の管継手１０は、ソケット１が第一筒材２とこの第一筒材２に回転可能に取り付けられた第二筒材３とから構成されているので、予め消防ポンプの吸水口に螺合連結されたプラグ４に対し、消防ポンプ用の吸管が第二筒材３に螺合連結されたソケット１を接合する場合にも、重くて硬い吸管自体の向きを変えなくても、ソケット１の第一筒材２の向きを変更することが可能となり、レバー２７の起倒操作方向を作業し易い方向に調節することができる。したがって、本実施形態の管継手１０は、特に迅速性、確実性が要求される消防配管用の管継手として好適である。
【００２３】
しかも、ソケット１の偏心カム２６がプラグ４の係合溝４３と係合して、ソケット１とプラグ４とを接合したとき、図３に示すように、プラグ４の先端部４１がゴムパッキン３６を介して第二筒材３の先端部３１を押圧する。この押圧力によってソケット１とゴムパッキン３６とプラグ４とが密着されて確実な接合が可能となるとともに、ソケット１の第一筒材２に対する第二筒材３の回転を阻止することができる。したがって、接合時に調節したソケット１の向きを、接合後において維持することができ、分離作業時に再びレバー操作方向の調節を行う必要がなく、分離作業も迅速、確実に行うことが可能となる。
【００２４】
また、本実施形態の管継手１０は、プラグ４の先端部４１側に、規格化された消防ポンプ用の吸管と螺合可能な雄ネジ４４を形成しているので、予めプラグ４を消防ポンプの吸水口に螺合連結しておけば、このプラグ４に対し、吸管が螺合連結されたソケット４を簡単に接合できることは勿論、直接、吸管を螺合連結することも可能となる。したがって、特に迅速性が要求される消防現場における配管作業の融通性に優れている。
【００２５】
以上、本実施形態の管継手１０について詳しく説明したが、本発明に係る管継手はその他の形態でも実施することができる。
【００２６】
例えば、図４〜図８に示す管継手２０のように、ソケット１の第一筒材２に、第一筒材２側へ倒したレバー２７を保持するためのロック手段５を設けても良い。このロック手段５は、第一筒材２に軸着され、先端にレバー２７を引っ掛け可能なフック５２を備えたロック片５１と、このロック片５１の先端側を、第一筒材２側へ倒した状態のレバー２７の方向へ付勢する付勢部材５３とから構成されている。即ち、図４に示すように、第一筒材２の外周面の後端部２２側には、レバー２７の近傍に一対のブラケット５４が配設されており、一対のブラケット５４間に、支軸５５周りに回動可能なロック片５１が軸着されている。そして、支軸５５に付勢部材５３として捻りコイルバネが装着されている。
【００２７】
このことで、管継手２０のソケット１とプラグ４を接合する際に、レバー２７を第一筒材２側へ倒してゆけば（図６参照）、レバー２７がフック５２の先端斜面と衝突し、レバー２７が付勢部材５３の付勢力に抗してロック片５１を後退させる（図７参照）。そして、レバー２７を更に倒してゆくことによって、フック５２でレバー２７の外面を引っ掛けてレバー２７を保持固定するのである。ソケット１とプラグ４を分離する際には、人手でロック片５１を後退させてフック５２を外した後、レバー２７を起こす。
【００２８】
この変形例のように、レバー２７を保持するロック手段５を設ければ、ソケット１とプラグ４とが接合された状態で、レバー２７に外力が加わっても簡単にレバー２７が起きる惧れもなく、不用意にソケットとプラグとが分離してしまうこともない。
【００２９】
また、上記実施形態では、ソケット１の第二筒材３の後端部３２側に雄ネジ３７を形成しているが、本発明は勿論これに限定されるものではなく、雄ネジ３７の代わりに、又は雄ネジ３７と共に、雌ネジを形成するようにしても良く、また、外周面に複数の突起を備え、外側に管材が被嵌される筒部材（所謂たけのこ）を形成するようにしても良い。同様に、プラグ４の後端部４２側に、雄ネジや外周面に複数の突起を備えた筒部材を形成するようにしても良い。
【００３０】
また、上記実施形態では、プラグ４の先端部４１側に、ソケット１の第二筒材３の雄ネジ３７と同一形状の雄ネジ４４を形成しているが、必ずしも同一形状である必要はなく、ネジ長さが異なっていても良い。同じ管材が螺合可能であれば良い。また、必ずしもプラグ４の先端部４１側に雄ネジを設ける必要もない。
【００３１】
また、上記実施形態では、消防配管を接合する管継手として説明したが、本発明は勿論これに限定されるものではなく、例えば、石油タンクローリー車の搬送パイプ用の管継手のほか、他の分野において適用可能である。
【００３２】
本発明はその趣旨を逸脱しない範囲内で、当業者の知識に基づき種々なる改良、修正、変形を加えた態様で実施し得るものである。また、同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施したりしても良い。
【図面の簡単な説明】
【００３３】
【図１】本発明に係る管継手の分離状態の断面図である。
【図２】本発明に係る管継手のソケットを後端側からみた平面図である。
【図３】本発明に係る管継手の接合状態の断面図である。
【図４】本発明に係る管継手の変形例のソケットの断面図である。
【図５】本発明に係る管継手の変形例のソケットを後端側からみた平面図である。
【図６】本発明に係る管継手の変形例のソケットのレバー操作を説明する要部平面図である。
【図７】本発明に係る管継手の変形例のソケットのレバー操作を説明する要部平面図である。
【図８】本発明に係る管継手の変形例のソケットのレバー操作を説明する要部平面図である。
【符号の説明】
【００３４】
１０  管継手
１    ソケット
２    第一筒材
２６  偏心カム
２７  レバー
３    第二筒材
３７  雄ネジ
４    プラグ
４３  係合溝
４４  雄ネジ
４５  雌ネジ
５    ロック手段
５１  ロック片
５２  フック
５３  付勢部材
【図１】
2005207539.tif 000003
【図２】
2005207539.tif 000004
【図３】
2005207539.tif 000005
【図４】
2005207539.tif 000006
【図５】
2005207539.tif 000007
【図６】
2005207539.tif 000008
【図７】
2005207539.tif 000009
【図８】
2005207539.tif 000010